(57)【要約】  機能モジュールを収容するためのモジュールリテーナ１は、モジュールリテーナ１を支持ベルト２に取り付けるためのクランプ２０を有する。クランプ２０はモジュールリテーナ１の主要構造１０に枢動可能に取り付けられる第１の側面２１を持つ。モジュールリテーナ１はクランプ２０の第２の側面２２を主要構造１０に動作可能に取り付け、クランプ２０を支持ベルト２が受け入れられる閉位置に固定するための少なくとも１つのスナップ１２をさらに有する。スナップ１２はモジュールリテーナ１の主要構造１０に挿入される機能モジュール３によって塞がれ、クランプ２０を閉位置に固定するように設計され配置される。
2013517883.tif 000002
【特許請求の範囲】
【請求項１】
機能モジュールを収容するためのモジュールリテーナであって、前記モジュールリテーナを支持ベルトに取り付けるためのクランプを有し、前記クランプは前記モジュールリテーナの主要構造に枢動可能に取り付けられる第１の側面と、前記モジュールリテーナの前記主要構造に前記クランプの第２の側面を動作可能に取り付け、前記クランプを前記支持ベルトが受け入れられる閉位置に固定するための少なくとも１つのスナップとを持ち、前記スナップは、前記モジュールリテーナの前記主要構造に挿入される機能モジュールによって塞がれ、前記クランプを前記閉位置に固定するように設計され配置される、モジュールリテーナ。
【請求項２】
前記主要構造がフレーム状であり、側壁と底部を有し、前記側壁と前記底部が挿入された機能モジュールを収容するための容積を囲む、請求項１に記載のモジュールリテーナ。
【請求項３】
前記少なくとも１つのスナップが、操作時に挿入された機能モジュールを収容するための容積に少なくとも部分的に入り込む、請求項２に記載のモジュールリテーナ。
【請求項４】
前記少なくとも１つのスナップが、前記クランプと係合するための弾性部品と前記弾性部品に取り付けられるノッチとを有する、請求項１乃至３のいずれか一項に記載のモジュールリテーナ。
【請求項５】
前記少なくとも１つのスナップの前記弾性部品が前記主要構造の側壁と一直線になったフラットトングである、請求項４に記載のモジュールリテーナ。
【請求項６】
前記クランプが屈曲Ｕ字形ワイヤである、請求項１乃至５のいずれか一項に記載のモジュールリテーナ。
【請求項７】
挿入された機能モジュールを保持するための少なくとも１つの保持部材をさらに有する、請求項１乃至６のいずれか一項に記載のモジュールリテーナ。
【請求項８】
挿入された機能モジュールを接続するための開口部が前記主要構造の前記側壁の少なくとも１つに設けられる、請求項２乃至７のいずれか一項に記載のモジュールリテーナ。
【請求項９】
請求項１乃至８のいずれか一項に記載のモジュールリテーナであって、機能モジュールを収容するための主要構造と、前記モジュールリテーナを支持ベルトに固定するためのクランプ及び少なくとも１つのスナップとを有する、モジュールリテーナと、
機能モジュールと、
を有するシステムであって、前記機能モジュールが、前記モジュールリテーナに挿入されるときに前記少なくとも１つのスナップを塞ぐように設計される、システム。
【請求項１０】
前記機能モジュールが、前記モジュールリテーナに挿入されるときに前記少なくとも１つのスナップの操作のために利用される移動スペースを満たす、請求項９に記載のシステム。
【発明の詳細な説明】
【技術分野】
【０００１】
本発明は機能モジュールを収容するためのモジュールリテーナ、特に支持ベルトに取り付け可能なモジュールリテーナに関する。本発明はさらにモジュールリテーナと機能モジュールを有するシステムに関する。
【背景技術】
【０００２】
医療において、例えば患者の生理学的パラメータを決定するための機能モジュールが支持ベルトで患者の身体に取り付けられることが多い。一例は、カフとも呼ばれる膨張式ベルトで患者の腕、手首若しくは上腕に取り付けられる携帯型血圧モニタである。衛生的理由と容易なメンテナンスのために、機能モジュールを支持ベルトから分離することができることが望ましい。
【０００３】
米国特許Ｎｏ．６，３４４，０２５Ｂ１はカフと取り外し可能な機能モジュールを持つ血圧モニタを記載する。カフは、カフにしっかりと密接に結合されるモジュールリテーナを備える。モジュールとモジュールリテーナは、機能モジュールとモジュールリテーナの容易な着脱のためのクイックロックシステムを備える。
【０００４】
たとえそのように機能モジュールがモジュールリテーナから、従ってカフから容易に分離されることができたとしても、モジュールリテーナはカフに結合したままである。特に使い捨てベルトと併用される機能モジュールにとって、これは経済的理由から望ましくない。再利用可能ベルトにとって、ベルトとモジュールリテーナの異なる材料は洗浄と消毒を複雑にする。
【発明の概要】
【発明が解決しようとする課題】
【０００５】
従って、挿入された機能モジュールを確実に支えるためにモジュールリテーナが支持ベルトに容易にしっかりと取り付けられることができ、同時に、使用していないときにはモジュールリテーナが支持ベルトから容易に取り外されることができる、機能モジュールを収容するためのモジュールリテーナを実現することが有利である。
【課題を解決するための手段】
【０００６】
本願は支持ベルトにモジュールリテーナを取り付けるためのクランプを有する機能モジュールを収容するためのモジュールリテーナを検討する。クランプはモジュールリテーナの主要構造に枢動可能に取り付けられる第１の側面を持つ。モジュールリテーナはさらに、モジュールリテーナの主要構造にクランプの第２の側面を動作可能に取り付け、クランプを支持ベルトが受け入れられる閉位置に固定するための少なくとも１つの何らかのスナップを有する。スナップは、モジュールリテーナの主要構造に挿入される機能モジュールによって塞がれ、従ってクランプを閉位置に固定するように設計され配置される。
【０００７】
少なくとも１つのスナップと係合する枢動可能クランプの組み合わせによって、本発明にかかるモジュールリテーナは、モジュールリテーナを支持ベルトに容易に取り付け、支持ベルトから容易に分離するための機構を備える。永久に固定された構成要素が支持ベルトに結合される必要がなく、これはモジュールリテーナを単純で安価な使い捨てベルトとの使用によく適したものにする。支持ベルトへのモジュールリテーナの確実かつ安定な結合のために、スナップは挿入された機能モジュールによって塞がれるように設計され配置される。そのように、重量とコストを追加し得るさらなる固定機構が省略されることができる。さらに、一旦機能モジュールが挿入されるとモジュールリテーナと支持ベルト間の結合を固定するための余分な操作ステップが必要ない。
【０００８】
有利な実施形態において、モジュールリテーナの主要構造はフレーム状であり側壁と底部を有し、側壁と底部は挿入された機能モジュールを収容するための容積を囲む。特定の有利な実施形態において、少なくとも１つのスナップは操作時に挿入された機能モジュールを収容するための容積に少なくとも部分的に入り込む。このように、少なくとも１つのスナップの閉塞がいかなる追加機械構成部品も必要とせずに実現される。
【０００９】
本願はさらに機能モジュールを収容するためのモジュールリテーナと各機能モジュールを有するシステムを検討する。利点は前述のモジュールリテーナの利点に対応する。
【００１０】
さらなる有利な実施形態は各従属請求項に提供される。本発明のなおさらなる利点と効果は図面と関連して以下に記載の実施形態から明らかとなり、それを参照して解明される。
【図面の簡単な説明】
【００１１】
【図１】支持ベルトから取り外されたモジュールリテーナの第１の実施形態を略斜視図で示す。
【図２】支持ベルトに取り付けられた図１にかかるモジュールリテーナと、モジュールリテーナから分離された機能モジュールを示す。
【図３】機能モジュールがモジュールリテーナに挿入された、図２にかかる支持ベルトに取り付けられたモジュールリテーナを示す。
【図４】モジュールリテーナと機能モジュールの第２の実施形態の断面図を示す。
【図５】機能モジュールが挿入された、図４にかかるモジュールリテーナを示す。
【発明を実施するための形態】
【００１２】
図１は支持ベルト２に隣接しているが、取り付けられていないモジュールリテーナ１の第１の実施形態を示す。
【００１３】
モジュールリテーナ１は側壁と底部を持つフレーム状の主要構造１０を有する。底部と反対側の上面は開いている。側壁と底部はこの図には示されていない機能モジュールを受けるための容積を囲む。
【００１４】
例として、モジュールリテーナ１は機能モジュールとして血圧モニタを受けるように設計される。血圧モニタは少なくとも１つの圧力ホースを介して患者の四肢に巻きつけられ得るカフに接続される。血圧モニタは通常は測定を実行する間カフを自動的に膨張及び収縮させるように設計される。コンパクト設計と使いやすさのために、モジュールリテーナ１はカフによって支持される。一実施形態において支持ベルト２は、カフに取り付けられ、特にモジュールリテーナ１を担持する専用の個別ストラップである。代替的な実施形態において、モジュールリテーナ１はカフに直接取り付けられ得る。この点において、カフ自体が支持ベルト２としてはたらき得る。
【００１５】
モジュールリテーナ１の主要構造１０は底板の片側に取り付けられる２つのベアリング１１を有する。２つのベアリング１１のうち１つのみが図１で見えている。主要構造１０の縦方向反対側に２つのスナップ１２が設けられる。ベアリング１１とスナップ１２の詳細は以下に記載される。
【００１６】
挿入された機能モジュールを所定位置に固定するための保持部材１５としてはたらく小開口部が主要構造１０の側壁に形成される。図示の実施形態において、４つの保持部材１５が存在し、そのうち１つのみが説明の明確さの向上のために参照数字で標識される。さらに、主要構造１０の側壁は開口部１６とカットアウト１７を持つ。開口部１６は例えば電気若しくは空気圧コネクタなど、挿入された機能モジュールのコネクタへのアクセスを与える。カットアウト１７は挿入された機能モジュールをモジュールリテーナから持ち上げて取り外すために掴むことを可能にする。カットアウトはノッチ１４のための移動スペースを作るためにスナップ１２に隣接する主要構造１０の底部にも設けられる。このスペースはスナップが操作され内側に曲げられるときに必要である。主要構造１０の底部は、ベルト内の開口部を通して若しくはベルト２自体を通して、例えば電気、光学、若しくは音響センサなど、例えばセンサで患者の皮膚にアクセスするために、さらなるカットアウト若しくは開口部も備え得る。
【００１７】
モジュールリテーナ１はさらにクランプ２０を有し、その第１の側面２１は主要構造１０に枢動可能に結合される。図示の実施形態において、クランプ２０は第１の側面２１において両脚が内側に曲がったＵ字形ワイヤから作られる。クランプ２０の屈曲部分はベアリング１１の中に挿入されており、従って図１では目に見えない。ベアリング１１は基本的に、例えば主要構造１０に一体にモールドされる管状要素に形成される、ホール若しくはスタッドホールである。
【００１８】
主要構造１０の方へ回転されると、クランプ２０の第２の側面２２はスナップ１２と相互作用して係合する。図示の実施形態において、スナップ１２の１つ１つは弾性部品１３とノッチ１４を含む。各スナップ１２は基本的に主要構造１０の側壁の一部を構成し、側壁内の垂直ギャップによって切り取られている。これは弾性トング（ｔｏｎｇｕｅ）が弾性部品１３として作られるように、底部の反対側において主要構造１０に接続したままである。ノッチ１４はトングの先端に形成される。
【００１９】
ベアリング１１とスナップ１２の間に側方に位置する場合、ベルト２は、クランプ２０の第２の側面２２がスナップ１２のノッチ１４にはめ込むように、クランプ２０をスナップ１２と係合することによって主要構造１０の底部とクランプ２０の間に固定されることができる。以下、クランプ２０がスナップ１２に固定される位置は閉位置と呼ばれる。閉位置において、ベルト２は主要構造１０とクランプ２０によって主要構造の底部に垂直な方向に、及びベアリング１１とスナップ１２によって鉛直方向と垂直な方向に受け入れられる。
【００２０】
図２はクランプ２０が閉位置にある、ベルト２に取り付けられたモジュールリテーナ１を示す。図２はさらにモジュールリテーナ１への挿入のための機能モジュール３を示す。
【００２１】
機能モジュール３は蓋３１を持つ筺体３０を有する。モジュールリテーナ１の保持部材１５と相互作用することができる相補的保持部材３２が筺体３０の側壁上に形成される。機能モジュール３はさらに筺体３０の前壁上に接続ポート３３を有する。
【００２２】
図２に示した状況において、機能モジュール３はまだモジュールリテーナ１に挿入されておらず、モジュールリテーナ１はスナップ１２の弾性部品１３を押してこれらを内側に曲げることによって再度ベルト２を取り外すことができる。従って、ノッチ１４はクランプ２０を閉位置から解放する。押されて内側に曲げられると、スナップは機能モジュール３を受けるために設けられる容積の中に少なくとも部分的に入り込む。
【００２３】
図３は機能モジュール３がモジュールリテーナ１に挿入されている、ベルト２に取り付けられたモジュールリテーナ１を示す。機能モジュール３は、モジュールリテーナ１が機能モジュールのために設ける全容積を基本的に満たすように形作られる。これは特にスナップ１２の真後ろの容積の部分を満たす。挿入されると、機能モジュール３の相補的保持部材３１がモジュールリテーナ１の主要部１０の保持部材１５と係合する。図示の実施形態において、保持部材１５は主要部１０の壁の中の開口部であり、相補的保持部材３２は筺体３０の表面上に一体化して形成される小さなノーズ（ｎｏｓｅ）である。ノーズは容易に開口部にはめ込み、機能モジュール３をモジュールリテーナ１の中に保持する。例えばカットアウト１７において、モジュールリテーナ１から離れる方向に十分な力を機能モジュール３に加えることによって、機能モジュール３をモジュールリテーナ１から再度取り外すために保持部材１５と相補的保持部材３２が取り外されることができる。
【００２４】
図示の実施形態においては開口部が保持部材１５として使用され、ノーズが相補的保持部材３２として使用されるが、開口部とノーズは反対に使用されることができることが留意される。インデント若しくはノッチ及びアンダーカットのような、他のスナップ部材もまた保持若しくは相補的保持部材として使用されることができる。さらに、ねじ若しくはバヨネット結合のような非スナップ式の固定部材もまた適用されることができる。一般に、機能モジュールをモジュールリテーナにしっかりと固定するのに適した全部材が保持及び／又は相補的保持部材として使用されることができる。
【００２５】
機能モジュール３がモジュールリテーナ１に挿入されると、機能モジュール３はスナップ１２を内側に曲げるために必要なスペースを満たし、従ってスナップ１２を塞ぐ。従って、クランプ２０はもう閉位置から解放されることができず、モジュールリテーナ１、従って機能モジュール３が支持ベルト２にしっかりと取り付けられる。有利なことに、スナップ１２付近の機能モジュール３とモジュールリテーナ１の一致する形状のために、スナップ１２を塞ぐための追加機械構成部品は必要ない。
【００２６】
次の図４及び５において、スナップ１２の閉塞が、モジュールリテーナ１と機能モジュール３のシステムの第２の実施形態の断面図においてより詳細に示される。図４及び５は同一構成要素若しくは同等機能を持つ構成要素については図１乃至３と同じ参照数字を使用する。
【００２７】
モジュールリテーナ１と機能モジュール３の第２の実施形態は主に図１乃至３に示した第１の実施形態に対応し、差はモジュールリテーナ１の主要構造１０の底部と側壁の間の曲面移行部である。同様に、機能モジュール３の筺体３０の側面と底部は曲面移行部を示す。
【００２８】
図４は図２に類似する状況を描き、機能モジュール３はモジュールリテーナ１の上に位置するが中に挿入されていない。クランプ２０は第２の側面２２をスナップ１２のノッチ１４にはめ込んだ閉位置にある。しかしながら、説明の明確さの向上のために、支持ベルトは図４及び図５の両方に示していない。図４及び５は両方ともスナップ１２を通る断面図を示す。明確さのために、スナップ１２とベアリング１１（すなわち描画面の後ろ）の間の断面における主要構造１０の一連の側壁と底部は破線で示される。
【００２９】
主要構造１０の側壁と底部におけるカットアウトのために、スナップ１２、特にノッチ１４はクランプ２０の第２の側面２２と係合する若しくは離れるために矢印で示した通り内側に自由に動く。
【００３０】
図５は機能モジュール３がモジュールリテーナ１に挿入されている状況を示す。この図から明らかな通り、ここで機能モジュール３はスナップ１２が操作されるために必要なスペースを満たす。結果として、スナップ１２の弾性部品１３とノッチ１４は内側に曲げられることができず、クランプ２０はノッチ１４によって閉位置に固定される。係合は、例えば指先で弾性部品１３を押すことによって、スナップ１２に横から力を加えることによっても、又は、例えば血圧モニタにおいてベルトとして使用されるカフを膨張させること若しくはベルトを支持することによって、モジュールリテーナ１の主要構造１０の底部に加えられる力によっても、解放されることができない。
【００３１】
本発明は図面と前述の説明において詳細に図示され記載されているが、かかる図示と記載は例示若しくは説明であって限定ではないと見なされるものであり、本発明は開示された実施形態に限定されない。開示された実施形態への他の変更は、図面、開示、及び添付の請求項の考察から、請求された発明を実施するうえで当業者によって理解されもたらされることができる。請求項において、"有する"という語は他の要素若しくはステップを除外せず、不定冠詞"ａ"若しくは"ａｎ"は複数を除外しない。特定の手段が相互に異なる従属請求項に列挙されているという単なる事実は、これらの手段の組み合わせが有利に使用されることができないことを示すものではない。請求項における任意の参照符号は範囲を限定するものと解釈されてはならない。
【図１】
2013517883.tif 000003
【図２】
2013517883.tif 000004
【図３】
2013517883.tif 000005
【図４】
2013517883.tif 000006
【図５】
2013517883.tif 000007
【国際調査報告】
2013517883.tif 000008
2013517883.tif 000009